(57)【要約】  連続測定可能な体液成分測定システムにおいて、中断時間の短縮を図る。本発明に係る体液成分測定システムは、被検者の皮膚に留置され、該被検者の体液に含まれる所定の体液成分を測定するセンサ部１１０と、センサ部１１０に着脱可能に取り付けられ、センサ部１１０において測定された測定データに基づいて血糖値を算出し、該算出した血糖値を表示部１３０に送信する送信部１２０と、を備え、センサ部１１０には送信部１２０と表示部１３０との間の通信を確立するための識別情報が格納されており、前記送信部１２０は、起動時に、センサ部１１０より読み出した識別情報を用いて、表示部１３０との通信を確立するよう構成されていることを特徴とする。
2012131827.tif 000002
【特許請求の範囲】
【請求項１】
被検者の皮膚に留置され、該被検者の体液に含まれる所定の体液成分を測定するセンサ部と、
前記センサ部に着脱可能に取り付けられ、前記センサ部において測定された測定信号をもとに前記体液成分の前記体液と同種または異種の体液中の濃度を算出し、該算出した結果を、表示装置に送信する送信部と、を備え、
前記センサ部には、前記送信部と前記表示装置との間の通信を確立するための識別情報が格納されており、
前記送信部は、起動時に、前記センサ部に格納されている前記識別情報を読み出し、該読み出した識別情報を用いて、前記表示装置との通信を確立するよう構成されていることを特徴とする体液成分測定システム。
【請求項２】
前記送信部は、校正情報を算出するための情報を取得した場合に、前記センサ部に対して測定指示を行い、該測定指示に従って該センサ部において測定された測定データと、該校正情報を算出するための情報とを用いて、校正情報を算出し、該算出した校正情報を、前記センサ部に格納するよう構成されていることを特徴とする請求項１に記載の体液成分測定システム。
【請求項３】
前記送信部は所定の時間間隔での測定において、前記センサ部において測定された測定信号を取得する際に、前記格納された校正情報とともに読み出すよう構成されていることを特徴とする請求項２に記載の体液成分測定システム。
【請求項４】
前記送信部は所定の時間間隔での測定において、前記センサ部より取得した測定信号および校正情報に基づいて血糖値を算出し、該算出した血糖値を、測定日時と対応付けて前記センサ部に格納するよう構成されていることを特徴とする請求項３に記載の体液成分測定システム。
【請求項５】
前記送信部は、前記表示装置より血糖値データの読み出し指示を受信した場合に、前記センサ部に前記測定日時と対応付けて格納された血糖値データを読み出し、前記表示装置に、該血糖値データを、該測定日時と対応付けて送信するよう構成されていることを特徴とする請求項４に記載の体液成分測定システム。
【請求項６】
前記送信部は、充電可能な２次電池により動作するよう構成されていることを特徴とする請求項１に記載の体液成分測定システム。
【発明の詳細な説明】
【技術分野】
【０００１】
本発明は、被検者の体液を連続的に測定し、体液に含まれる所定の成分の濃度を表示する体液成分測定システムに関するものである。より詳細には、被検者の体液を間歇的かつ連続的に測定し、血糖値を表示する体液成分測定システムに関するものである。
【背景技術】
【０００２】
従来より、糖尿病患者が自ら血糖値を測定し管理するための方法として、指先などを専用の穿刺器具で穿刺して出た血液を、その都度、血糖測定器で測定する、所謂自己血糖測定（Ｓｅｌｆ  Ｍｏｎｉｔｏｒｉｎｇ  ｏｆ  Ｂｌｏｏｄ  Ｇｌｕｃｏｓｅ：ＳＭＢＧ）が広く普及している。【０００３】
一方、近年、これに代わるべく、専用のセンサ部に配された針を皮下等に穿刺することで該センサを皮膚に留置し、被検者の血糖値を連続的にモニタリングする連続血糖測定（Ｃｏｎｔｉｎｕｏｕｓ  Ｇｌｕｃｏｓｅ  Ｍｏｎｉｔｏｒｉｎｇ：ＣＧＭ）が可能な体液成分測定システムが開発され（例えば、特許文献１参照）、欧米では既に実用化されている。【０００４】
ＣＧＭに用いる体液成分測定システムは、被検者に常時装着されるセンサ部と、該センサ部に取り付けられ、該センサ部における測定信号を外部に送信する送信部と、該送信部より送信された測定信号に基づいて血糖値を算出し該血糖値を表示する表示装置とから構成されており、３日から１週間に１回程度の頻度で、センサ部を新しいものに交換する仕様となっている。【０００５】
一方で、送信部及び表示装置は、センサ部の交換に関わらず、継続的に使用する仕様となっており、電池の充電または交換を繰り返し行うことで、長期間にわたる使用が可能となっている。
【先行技術文献】
【特許文献】
【０００６】
【特許文献１】特表２００２−５２６１３７号
【発明の概要】
【発明が解決しようとする課題】
【０００７】
しかしながら、送信部及び表示装置に搭載された電池を充電または交換するたびに、被検者の血糖値の連続的なモニタリングが長時間中断されることは望ましくない。一方で、送信部及び表示装置に搭載された電池の充電頻度または交換頻度を少なくすることで、血糖値の連続的なモニタリングが中断される時間の累計値を低減させることは可能となるが、その場合、送信部及び表示装置に搭載される電池の大きさが大きくなるため、これらを常時装着する被検者にとっては利便性が低下する。【０００８】
このようなことから、被検者の体液を間歇的かつ連続的に測定し、所定の体液成分の濃度を表示する体液成分測定システムにおいては、被検者の利便性を損なうことなく、当該体液成分の濃度のモニタリングが中断される時間を短縮できるようにすることが望ましい。【０００９】
本発明は上記課題に鑑みてなされたものであり、体液成分測定システムにおいて、被検者の利便性を損なうことなく、所定の体液成分の濃度のモニタリングが中断される時間を短縮可能な構成を提供することを目的とする。
【課題を解決するための手段】
【００１０】
上記の目的を達成するために、本発明に係る体液成分測定システムは以下のような構成を備える。即ち、
被検者の皮膚に留置され、該被検者の体液に含まれる所定の体液成分を測定するセンサ部と、
前記センサ部に着脱可能に取り付けられ、前記センサ部において測定された測定信号をもとに前記体液成分の前記体液と同種または異種の体液中の濃度を算出し、該算出した結果を、表示装置に送信する送信部と、を備え、
前記センサ部には、前記送信部と前記表示装置との間の通信を確立するための識別情報が格納されており、
前記送信部は、起動時に、前記センサ部に格納されている前記識別情報を読み出し、該読み出した識別情報を用いて、前記表示装置との通信を確立するよう構成されていることを特徴とする。
【発明の効果】
【００１１】
本発明によれば、体液成分測定システムにおいて、被検者の利便性を損なうことなく、所定の体液成分の濃度のモニタリングが中断される時間を短縮可能な構成を提供することができる。【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施の形態を示し、その記述と共に本発明の原理を説明するために用いられる。
【図１】図１は、本発明の一実施形態に係る体液成分測定システム１００の外観構成を示す図である。
【図２】図２は、体液成分測定システム１００の機能構成を示す図である。
【図３】図３は、体液成分測定システム１００を構成する各部の使用方法を説明するための図である。
【図４】図４は、体液成分測定システム１００における初期処理の流れを示す図である。
【図５】図５は、体液成分測定システム１００におけるモニタリング処理の流れを示す図である。
【図６】図６は、体液成分測定システム１００における交換処理の流れを示す図である。
【発明を実施するための形態】
【００１４】
以下、必要に応じて添付図面を参照しながら本発明の各実施形態の詳細を説明する。なお、本発明は以下の実施形態に限定されるものではなく、適宜変更可能であるものとする。
【００１５】
［第１の実施形態］
＜１．体液成分測定システムの外観構成＞
図１は、本発明の一実施形態に係る体液成分測定システム１００の外観構成を示す図である。
【００１６】
図１の１Ａに示すように、体液成分測定システム１００はセンサ部１１０と、送信部１２０と、表示部１３０とを備える。
【００１７】
液体が浸透、透過するのを防止し得る硬質プラスチックや金属、セラミック等を用いることができ、硬質プラスチックとしては例えば、ＡＢＳ樹脂、ポリプロピレン、ポリカーボネート、また、ポリウレタンなどの柔軟な樹脂、金属としては例えば、ＳＵＳ、チタン、セラミックとしては例えばジルコニアなどによって液密構造に形成された本体部１１１を備える。本体部１１１の底面には防水機能付きの皮膚貼り付けテープ（不図示）が配されており、これにより、センサ部１１０は、被検者の上腕部または腹部などに直接貼り付けることができる。
【００１８】
更に、本体部１１１の底面には、被検者の皮膚に留置され皮下の体液と接触する針１１４が設けられており、本体部１１１内に配された成分測定部１１５と接続されている。成分測定部１１５は、針１１４が接触する皮下の体液である組織間液（間質液）中のグルコースや乳酸等の所定の体液成分の量に応じた測定信号を出力する。
【００１９】
本体部１１１の内部には、更に、アンテナ１１２とＩＣチップ１１３と不図示のＡ／Ｄ変換回路とを備えるＡ／Ｄ回路内蔵ＩＣタグ１１７（以下、単にＩＣタグ１１７と称す）が設けられており、送信部１２０において発生した電磁界により生じた起電力を電源として動作し、成分測定部１１５による測定を制御するとともに、測定の結果得られた測定データを送信部１２０に送信する。
【００２０】
送信部１２０は、ハウジング１２１を備える。ハウジング１２１の内部には、駆動されることによりセンサ部１１０のＩＣタグ１１７に対して電磁界を発生し、電磁誘導により電力を供給するとともに、ＩＣタグ１１７にて発生した電磁界の変化を検出することにより、測定結果を示す測定データを受信するＩＣタグ送受信モジュール１２２が配されている。なお、送信部１２０では、センサ部１１０より受信した測定データを処理し、血糖値等の、体液に含まれる所定の体液成分の濃度（体液と同種または異種の体液中の所定の体液成分の濃度）を算出した後、ＩＣタグ送受信モジュール１２２を介して、測定日時と対応付けて該算出した血糖値等の所定の体液成分の濃度を、ＩＣチップ１１３のメモリ内に格納するよう構成されているものとする。
【００２１】
また、ハウジング１２１の底面には係止部１２３が設けられており、係止部１２３が本体部１１１の背面に設けられた係止部１１６に係止されることで、送信部１２０がセンサ部１１０に着脱可能に取り付けられることとなる。
【００２２】
表示部１３０は、表示領域１３１を備え、入力部１３２からの指示に基づいて、送信部１２０によってセンサ部１１０から読み出され、表示部１３０に送信される体液成分の濃度を表示する。また、入力部１３２を備え、表示領域１３１に表示される表示内容の切り替えや、所定の情報の入力等、各種操作を受け付ける。
【００２３】
図１の１Ｂは、送信部１２０がセンサ部１１０に取り付けられた様子を示す図である。図１の１Ｂに示すように、送信部１２０の背面には、送信部１２０の電源をＯＮ／ＯＦＦするための電源スイッチ１２４が設けられている。電源スイッチ１２４は、１回押圧されることで電源がＯＮとなり、ランプ１２５が点灯する。更に、もう１回押圧されることで電源がＯＦＦとなり、ランプ１２５が消灯する。
【００２４】
送信部１２０の背面には、更に、スピーカ１２７が設けられており、例えば、送信部１２０においてエラー等が検出された場合等に、被検者に対して音声を出力する。また、充電用コネクタ１２６が設けられており、充電用アダプタに接続されることで、送信部１２０に内蔵された２次電池（充電可能な電池）を充電することができる。
【００２５】
上記構成のもと、送信部１２０がセンサ部１１０に取り付けられた状態で、電源スイッチ１２４を押圧し、送信部１２０の電源をＯＮにすることで、表示部１３０では、所定周期ごとの所定の体液成分の濃度を閲覧することができる（図１の１Ｂの表示部１３０は、表示領域１３１に、トレンドグラフとともに今回の測定により得られた体液成分の濃度を表示した様子を示したものである）。
【００２６】
＜２．体液成分測定システムの機能構成＞
次に、体液成分測定システム１００の機能構成について説明する。図２は、体液成分測定システム１００の機能構成を示す図である。なお、図２では、図１の１Ａ、１Ｂの外観構成を用いて説明済みの要素に対応する要素については同一の参照番号を付している。
【００２７】
図２に示すように、センサ部１１０は、針１１４と、成分測定部１１５と、ＩＣタグ１１７とを備える。針１１４は、成分測定部１１５に体液が届くように誘導する毛細管であり、その先端が被検者の皮下に達するような長さに設定されている。針１１４は成分測定部１１５に接続されており、体液を成分測定部１１５の中に導く。なお、針１１４の先端部近傍に成分測定部を配置し、被験者の皮下中での体液の成分測定をするよう構成してもよい。
【００２８】
成分測定部１１５は、体液中に含まれる所定の体液成分（例えば、グルコース、尿酸、コレステロール、タンパク質、ミネラル、血液細胞など）の濃度を測定するための測定手段であり、周知の測定方法を用いて測定を行う。針１１４によって導通される体液としては血液、間質液、リンパ液などが挙げられ、測定方法としては、測定対象の体液に含まれる所定の体液成分を捕捉する蛍光ダイに励起光を照射した際の蛍光強度を測定する方法や、測定対象の体液に含まれる所定の体液成分を酸化酵素を用いて光学的または電気化学的に測定する方法等が用いられる。
【００２９】
なお、本実施形態に係る体液成分測定システムでは、針１１４を皮下に留置して、間質液中のグルコース濃度を測定し、血液中のグルコース濃度（血糖値）へと換算するよう構成されているものとする。また、測定センサとしては、糖類と結合してストークスシフトを示すボロン酸基導入蛍光色素をハイドロゲルに固定した蛍光センサや、グルコース酸化酵素（ＧＯＤ）を利用し、ＧＯＤを電極に固定した酸化還元電極などを用いたＧＯＤセンサなどが用いられるものとする。なお、皮下ではなく血管内に針１１４を穿刺し、直接血液中のグルコース濃度を測定するように構成することも可能である。
【００３０】
ＩＣタグ１１７は、送信部１２０において発生した電磁界により生じた起電力により、成分測定部１１５を制御する。また、成分測定部１１５からの測定結果をＡ／Ｄ変換することで得られたデジタルの測定データを送信部１２０に送信する。
【００３１】
なお、ＩＣタグ１１７を構成するＩＣチップ１１３のメモリには、後述する送信部１２０の送受信モジュール２２３と表示部１３０の送受信モジュール２３１との間の通信において用いられる通信用識別情報が格納されているものとする。また、送信部１２０に送信された測定データに基づいて送信部１２０において算出された血糖値等の体液成分の濃度が、測定日時と対応付けられて格納されているものとする。更に、送信部１２０において血糖値等の体液成分の濃度を算出する際に用いられる校正情報が格納されているものとする。なお、ＩＣチップ１１３のメモリに格納されている当該校正情報は、測定データを送信部１２０に送信する際に、あわせて送信されるよう構成されているものとする。
【００３２】
送信部１２０は、電源スイッチ１２４と、ランプ１２５と、メモリ１２８と、スピーカ１２７と、ＩＣタグ送受信モジュール１２２と、中央演算処理装置（Ｃｅｎｔｒａｌ  Ｐｒｏｃｅｓｓｉｎｇ  Ｕｎｉｔ：ＣＰＵ）２２２と、送受信モジュール２２３と、２次電池２２４と、充電回路２２５と、充電用コネクタ１２６とを備える。ＣＰＵ２２２は、ＣＰＵ２２２により実行される制御プログラムや各種データを記憶するＲＯＭ及びワークエリアとして各種データを一次記憶するＲＡＭなどを備え、各工程での処理、判断を行う制御部として機能する。
【００３３】
電源スイッチ１２４は、押圧されることで送信部１２０の電源がＯＮとなり、ランプ１２５が点灯する。なお、ランプ１２５は、２次電池２２４の残量が少なくなった場合に、点滅させることで、２次電池２２４の残量が少ないことをユーザに知らせる構成としてもよい。また、ランプ１２５は、送信部１２０の内部状態に応じて異なる色で点灯するように構成してもよい（例えば正常な場合は緑色で、異常を検出した場合には赤色で点灯するように構成してもよい）。
【００３４】
メモリ１２８には、センサ部１１０より受信した測定結果であるデジタルの測定データと校正情報とに基づいて体液に含まれる所定の体液成分の濃度を算出する算出プログラムや体液成分の濃度を算出する際に用いられる校正情報を算出するための校正プログラム、及び送信部１２０全体の動作を制御する制御プログラム等が格納されている。
【００３５】
なお、算出プログラムは、測定対象となる体液ごと、算出対象となる体液成分ごとに用意されているものとする。これにより、送信部１２０では、様々な体液成分の濃度を算出することができる。
【００３６】
スピーカ１２７は、測定終了や測定された体液成分の濃度などを音声で知らせる。例えば、測定の結果得られた血糖値が、正常であった場合には短いビープ音を出力し、異常であった場合には、正常であった場合よりも大きな警告音を継続的に出力する。
【００３７】
ＩＣタグ送受信モジュール１２２は、送信部１２０とセンサ部１１０との間における電力の供給及び各種情報の送受信を行う。ＣＰＵ２２２は送信部１２０全体の動作を制御する。送受信モジュール２２３は、表示部１３０からの指示に基づいてＩＣタグ送受信モジュール１２２を用いてセンサ部１１０より読み出された、体液成分の濃度及び対応する測定日時を、表示部１３０に送信する通信モジュールである。
【００３８】
２次電池２２４は送信部１２０を構成する各部に電力を供給する。充電回路２２５は、２次電池２２４を充電するための回路であり、充電用コネクタ１２６を介して接続されたアダプタ（不図示）より、電力の供給を受けた場合に、２次電池２２４を充電する。
【００３９】
表示部１３０は、送受信モジュール２３１と、ＣＰＵ２３２と、入力部１３２と、表示領域１３１と、メモリ２３３と、電源部２３４とを備える。ＣＰＵ２３３は、ＣＰＵ２３３により実行される制御プログラムや各種データを記憶するＲＯＭ及びワークエリアとして各種データを一次記憶するＲＡＭなどを備え、各工程での処理、判断を行う制御部として機能する。
【００４０】
送受信モジュール２３１は、送受信モジュール２２３を介して送信部１２０から送信された体液成分の濃度を受信する。送受信モジュール２３１において受信された体液成分の濃度は、ＣＰＵ２３２において処理され、表示領域１３１に表示されるとともに、メモリ２３３に保存される。
【００４１】
入力部１３２は、被検者の入力指示を受け付けるボタン等であり、表示部１３０に対する電源ＯＮの指示、過去に算出された体液成分の濃度についての送信部１２０に対する呼び出し指示、表示の切り替え指示、ならびに体液成分の濃度の算出の際に用いられる校正情報を算出するための情報入力等の操作に用いられる。なお、表示領域１３１と入力部１３２とは、タッチパネルなどの１つの部品により構成されていてもよい。電源部２３４は、表示部１３０を構成する各部に電力を供給する電池である。
【００４２】
＜３．体液成分測定システムの使用方法＞
次に、本実施形態に係る体液成分測定システム１００の使用方法について図３を用いて説明する。なお、以下では、説明の簡略化のため、送信部において算出される体液成分の濃度として、血糖値を例に説明する。
【００４３】
上述したように、本実施形態に係る体液成分測定システム１００は、センサ部１１０と、送信部１２０と、表示部１３０とを備える。このうち、送信部１２０はセンサ部１１０に着脱可能に取り付けられることから、被検者にとっては軽量かつ小型であることが望ましい。一方で、送信部１２０は、測定に必要な電力をセンサ部１１０に供給したり、表示部１３０との間で通信を行うための電力を提供するだけの電源を備えておく必要がある。
【００４４】
このようなことから、本実施形態に係る体液成分測定システム１００では、複数の送信部が用意され、使用中の送信部と充電中の送信部とが交互に交換して使用されるよう構成されている。具体的には、送信部１２０として送信部Ａと送信部Ｂの２台が用意され、一方がセンサ部１１０に取り付けられた状態においては、残りの一方は充電用アダプタにより充電され、一方が充電されている状態においては、残りの一方は、センサ部１１０に取り付けられることとなる。
【００４５】
このような構成とすることで、送信部Ａ及び送信部Ｂに搭載される２次電池の容量を極力抑えることが可能となり（つまり、２次電池の大きさを小さくすることが可能となり）、被検者の利便性が損なわれることもない。また、送信部Ａと送信部Ｂとの交換時にのみ血糖値の連続的なモニタリングが中断されるだけとなり、中断される時間を短縮させることが可能となる。
【００４６】
図３は、本実施形態に係る体液成分測定システム１００における、このような使用方法により使用される例を示した図である。図３に示すように、体液成分測定システム１００では、このような使用方法が採られるため、３つの処理状態（初期処理状態、モニタリング処理状態、交換処理状態）が存在することとなる。
【００４７】
初期処理では、センサ部１１０（センサ部名：センサ部Ａ）が被検者の皮膚に留置され、送信部１２０（送信部名：送信部Ａ）が当該センサ部１１０に取り付けられた後、電源がＯＮされると、送信部１２０（送信部名：送信部Ａ）と表示部１３０との間での通信が確立される。なお、初期処理の詳細については後述する。
【００４８】
初期処理において、送信部１２０と表示部１３０との通信が確立されると、送信部１２０では、血糖値のモニタリング処理が開始される。モニタリング処理中は、送信部１２０中のメモリ１２８に格納されている体液成分の濃度を算出するプログラムに基づいたＣＰＵ２２２からの指示に基づいて、センサ部１１０による測定が実行される。また、測定データに基づいて算出され、センサ部１１０に格納された血糖値データは、表示部１３０中のＣＰＵ２３２からの指示に基づいて送信部１２０によってセンサ部１１０から読み出され、表示部１３０に送信されることで、表示部１３０に表示される。なお、モニタリング処理の詳細についても後述する。
【００４９】
送信部１２０（送信部名：送信部Ａ）の２次電池が消耗し、残量が少なくなってきたタイミングで、被検者は予め充電が完了している送信部１２０（送信部名：送信部Ｂ）に交換する。なお、交換処理の詳細についても後述する。
【００５０】
交換処理が完了し、送信部１２０（送信部名：送信部Ｂ）がセンサ部１１０に取り付けられ、表示部１３０との間の通信が確立されると、送信部１２０（送信部名：送信部Ｂ）では、血糖値のモニタリング処理を開始する。上述したように、モニタリング処理中は、送信部１２０中のＣＰＵ２２２からの指示に基づいて、センサ部１１０による測定が実行される。また、測定データに基づいて算出され、センサ部１１０に格納された血糖値データは、表示部１３０中のＣＰＵ２３２からの指示に基づいて送信部１２０によってセンサ部１１０から読み出され、表示部１３０に送信されることで、表示部１３０に表示される。
【００５１】
なお、送信部１２０（送信部名：送信部Ｂ）によるモニタリング処理が実行されている間は、送信部１２０（送信部名：送信部Ａ）は、充電用アダプタに接続され、充電されているものとする。以降、センサ部１１０の交換時期までの間、送信部１２０（送信部名：送信部Ａ）と送信部１２０（送信部名：送信部Ｂ）との交換が繰り返されながら、モニタリング処理が継続される。
【００５２】
なお、センサ部１１０における測定は、送信部１２０中のメモリ１２８に格納されている体液成分の濃度を算出するプログラムに基づいたＣＰＵ２２２からの指示に基づいて実行され、測定データに基づいて送信部１２０において算出された血糖値データは、センサ部１１０に格納されるため、表示部１３０は、モニタリング処理中、常時、送信部１２０の近傍に動作可能に載置されている必要はない。つまり、表示部１３０の電源がＯＦＦされていた場合であっても、モニタリング処理が中断されることはない。このため、表示部１３０は１台あれば十分である。
【００５３】
図３の説明に戻る。センサ部１１０の交換時期になると、センサ部１１０が交換され、新しいセンサ部１１０が被検者の皮膚に留置される。この場合、送信部１２０（送信部名：送信部Ａ、または送信部Ｂ）及び表示部１３０は、これまで使用してきた送信部及び表示部を継続して使用するが、センサ部１１０が交換されたため、再度、初期処理を実行することとなる。
【００５４】
このように、本実施形態に係る体液成分測定システム１００では、複数の送信部１２０を用意し、使用と充電とを交互に繰り返すことにより、送信部１２０の軽量・小型化と、モニタリング処理の中断時間の短縮とを実現することが可能となる。
【００５５】
＜４．体液成分測定システムにおける上記使用方法を実現するための機能＞
次に、上記「３．」で説明した、本実施形態に係る体液成分測定システム１００の使用方法を実現するための、各部の機能について説明する。
【００５６】
図３を用いて説明したとおり、送信部１２０は、２次電池の残量が少なくなるごとに、他の送信部１２０に交換される。このため、交換処理に際して、初期処理に実行された処理（校正情報の算出に必要な情報の入力処理、送信部と表示部との通信を確立するために必要な情報の設定処理等）を再度、実行させることは被検者にとって利便性が悪い。また、測定データに基づいて算出された血糖値データを、交換した送信部から、あらためて読み出しなおす構成としてしまうと、被検者にとっては作業負荷が高い。
【００５７】
換言すると、交換処理時の被検者の作業負荷を低減させることで、モニタリング処理の中断時間を更に短縮させることが可能となる。このようなことから、本実施形態に係る体液成分測定システム１００では、以下のような機能を搭載している。
・センサ部１１０の留置時に算出された校正情報を、送信部１２０の交換に際して、次の送信部１２０に引き継ぐ機能。
・センサ部１１０における測定結果に基づいて、送信部１２０において算出された血糖値データを、送信部１２０の交換に際して、次の送信部１２０に引き継ぐ機能（送信部の交換前の測定において算出された血糖値データを、送信部１２０の交換の有無に関わらず、表示部１３０からの指示に基づいて、交換後の送信部から読み出すことができるようにするための機能）。
・センサ部１１０が交換されず、送信部１２０のみが交換される場合において、交換後の送信部１２０が、直ちに、表示部１３０との通信を確立できるようにするための機能。
【００５８】
本実施形態に係る体液成分測定システム１００においては、上記使用方法のもとで、上記機能を実現するために、センサ部１１０にメモリを設け、送信部１２０の交換に際して、次の送信部１２０に引き継がれるべき各種情報を、当該メモリに格納しておく構成とした。
【００５９】
このような構成とすることで、送信部１２０では、交換処理においてセンサ部１１０に取り付けられ電源がＯＮされた際に、必要に応じて当該各種情報をセンサ部１１０から読み出すことが可能となり、上記機能を実現することが可能となる。以下、各処理状態において、上記機能を実現するための具体的な処理フローについて説明する。
【００６０】
＜５．初期処理の流れ＞
はじめに、本実施形態に係る体液成分測定システム１００における初期処理の流れについて説明する。図４は、本実施形態に係る体液成分測定システム１００における各部の初期処理の流れを示すフローチャートである。
【００６１】
図４に示すように、ステップＳ４０１において被検者に対してセンサ部１１０が留置され、ステップＳ４１１において、送信部１２０が当該センサ部１１０に取り付けられ、ステップＳ４２１において、表示部１３０に対して、送信部１２０と表示部１３０との間の通信に必要な通信用識別情報（通信用ＩＤ）の入力がなされる。ステップＳ４１２では、被検者が送信部１２０の電源をＯＮし、送信部１２０を起動させる。
【００６２】
ステップＳ４１２において送信部１２０の電源がＯＮされると、ステップＳ４１３に進み、センサ部１１０に取り付けられた送信部１２０が、センサ部１１０に対して通信用識別情報の要求を行う。一方、通信用識別情報の要求を受けたセンサ部１１０では、ステップＳ４０２において、ＩＣチップ１１３に予め格納されている通信用識別情報を送信部１２０に送信する。
【００６３】
このようにして、起動時に、センサ部１１０に予め格納されている通信用識別情報の読み出しを行った送信部１２０では、当該読み出した通信用識別情報を用いて、表示部１３０との間の通信を確立する（ステップＳ４１４、ステップＳ４２２）。具体的には、通信用識別情報を相互に確認し、一致していれば、通信を開始する。一方、一致していなければ、通信は行わない。なお、通信が確立しなかった場合、確立しなかった旨のエラーメッセージを出力するようにすることもできる。
【００６４】
送信部１２０との通信が確立した表示部１３０では、ステップＳ４２３に進み、ＳＭＢＧ機において予め測定された測定結果を受け付ける。ＳＭＢＧ機において予め測定された測定結果を受け付けた表示部１３０では、ステップＳ４２４に進み、当該受け付けたＳＭＢＧ測定結果を、送信部１２０に送信する。
【００６５】
表示部１３０よりＳＭＢＧ測定結果を受信した送信部１２０では、ステップＳ４１５に進み、センサ部１１０に対して校正情報を生成するためのサンプリング処理を実行するよう指示する。サンプリング処理の実行指示を受信したセンサ部１１０では、ステップＳ４０３において測定処理を実行し、ステップＳ４０４において、測定データを送信部１２０に送信する。
【００６６】
センサ部１１０より測定データを受信した送信部１２０では、ステップＳ４１６に進み、当該受信した測定データと、ＳＭＢＧ測定結果から、校正情報を算出する。更に、ステップＳ４１７に進み、算出した校正情報をセンサ部１１０に送信する。
【００６７】
送信部１２０より校正情報が送信されたセンサ部１１０では、ステップＳ４０５に進み、センサ部１１０のＩＣチップ１１３のメモリに当該校正情報を格納する。なお、センサ部１１０では、次回以降、測定データを送信するたびに、当該測定データとともに当該格納した校正情報を送信部１２０に送信する。
【００６８】
＜６．モニタリング処理の流れ＞
次に、本実施形態に係る体液成分測定システム１００のモニタリング処理の流れについて説明する。図５は、本実施形態に係る体液成分測定システム１００のモニタリング処理の流れを示すフローチャートである。
【００６９】
図５に示すように、ステップＳ５１１では、タイマ計測が開始され、ステップＳ５１２では、送信部１２０中のＣＰＵ２２２によって所定時間が経過したか否かが判断される。ステップＳ５１２において所定時間が経過したと判断された場合には、ステップＳ５１３に進み、送信部１２０がセンサ部１１０に対して測定指示を行う。これにより、送信部１２０からは、所定の時間間隔で測定指示が送信されることとなる。
【００７０】
センサ部１１０より測定指示を受信したセンサ部１１０では、ステップＳ５０１において測定処理を実行する。更に、ステップＳ５０２では、測定処理の結果得られた測定データを、予め初期処理においてＩＣチップ１１３のメモリに格納しておいた校正情報とともに、送信部１２０に送信する。
【００７１】
センサ部１１０より測定データと校正情報とを受信した送信部１２０では、ステップＳ５１４において、当該受信した測定データと校正情報とに基づいて血糖値データを算出する。更に、ステップＳ５１５では、算出した血糖値データを、現在日時と対応付けて、センサ部１１０に送信する。
【００７２】
送信部１２０より血糖値データと現在日時とを受信したセンサ部１１０では、当該現在日時を測定日時として、血糖値データと対応付けてＩＣチップ１１３のメモリに格納する。
【００７３】
このように、初期処理において格納された校正情報を、測定データとともに送信する構成とすることで、送信部１２０が交換された場合であっても、交換前の送信部１２０において血糖値の算出処理に用いていた校正情報をそのまま引き継ぐことが可能となる。
【００７４】
更に、ステップＳ５２１において、表示部１３０が被検者より血糖値表示指示を受け付けると、表示部１３０では、当該血糖値表示指示を送信部１２０に送信する。血糖値表示指示を受信した送信部１２０では、ステップＳ５１６において、血糖値読出処理を実行する。具体的には、センサ部１１０に対してＣＰＵ２２２が読み出し要求を送信する。送信部１２０より読み出し要求を受信したセンサ部１１０では、ステップＳ５０４において、ＩＣチップ１１３のメモリに格納されている血糖値データを測定日時とともに送信部１２０に送信する。
【００７５】
センサ部１１０より送信された血糖値データ及びその測定日時は、ステップＳ５１７において、送信部１２０により表示部１３０に送信される。送信部１２０により送信された血糖値データ及び測定日時は、ステップＳ５２２において、表示部１３０に表示される。
【００７６】
このように、送信部１２０において血糖値データを算出するたびに、該算出した血糖値データを測定日時と対応付けてセンサ部１１０に格納する構成とすることで、送信部１２０が交換された場合であっても、交換前に算出された血糖値データを任意のタイミングで測定日時とともに表示部１３０に表示させることが可能となる。
【００７７】
＜７．交換処理の流れ＞
次に、本実施形態に係る体液成分測定システム１００の交換処理の流れについて説明する。図６は、本実施形態に係る体液成分測定システム１００の交換処理の流れを示すフローチャートである。
【００７８】
図６に示すように、ステップＳ６１１において、新たな送信部１２０がセンサ部１１０に取り付けられ、ステップＳ６１２において、被検者により当該新たな送信部１２０の電源がＯＮされ、送信部１２０が起動されると、ステップＳ６１３に進む。
【００７９】
ステップＳ６１３では、送信部１２０が、センサ部１１０に予め格納されている通信用識別情報を読み出す処理を実行する。
【００８０】
具体的には、起動時に、センサ部１１０に対して通信用識別情報を要求する。送信部１２０より通信用識別情報の要求を受信したセンサ部１１０では、ステップＳ６０１において、メモリ部に格納された通信用識別情報を、送信部１２０に送信する。センサ部１１０より通信用識別情報を受信した送信部１２０では、ステップＳ６１４において、当該情報を用いて、表示部１３０との通信を確立する。具体的には、表示部１３０が、交換前の送信部１２０との間で通信を行う際に用いていた通信用識別情報と、交換後の送信部１２０がセンサ部１１０より読み出した通信用識別情報とを対比し、一致していれば通信を確立する。一方、一致していなければ通信は行わない。
【００８１】
このように、送信部１２０と表示部１３０との間の通信用識別情報を、センサ部１１０に格納しておき、送信部１２０が交換された際に、送信部１２０が、当該センサ部１１０に格納されている通信用識別情報を読み出す構成とすることで、送信部１２０が交換された場合であっても通信用識別情報が引き継がれることとなる。
【００８２】
これにより、送信部１２０の交換時における被検者の作業負荷を低減させることができ、送信部１２０を交換する際の交換時間を短縮させることが可能となる。つまり、血糖値の連続的なモニタリングが中断される時間を短縮させることが可能となる。
【００８３】
以上の説明から明らかなように、本実施形態に係る体液成分測定システムでは、送信部１２０を軽量・小型化し、被検者の利便性を向上させるために、送信部１２０に搭載される２次電池の容量を極力抑える構成とした。
【００８４】
また、これにより血糖値の連続的なモニタリングについての中断頻度が増加し、中断時間の累計値が増大するのを抑えるために、送信部を複数個用意し、使用と充電とを交互に繰り返す構成とした。
【００８５】
更に、送信部の交換に伴う利便性の低下や交換時の作業負荷を低減させるために、送信部１２０の交換に伴って引き継がれるべき各種情報をセンサ部１１０に格納しておき、交換された送信部１２０が必要に応じてセンサ部１１０から各種情報を読み出す構成とした。
【００８６】
この結果、センサ部１１０の留置時に設定された校正情報が、送信部１２０が交換された場合であっても引き継がれることとなり、送信部の交換時に、再度、校正情報を算出するために必要な情報を入力しなおす必要がなくなった。
【００８７】
また、交換前の送信部１２０において算出された血糖値データが、送信部１２０が交換された場合であっても引き継がれることとなり、交換後であっても、表示部１３０に、交換前と同様の操作で、交換前の血糖値データを読み出し表示させることが可能となった。
【００８８】
更に、送信部１２０と表示部１３０との間の通信用識別情報が、送信部１２０が交換された場合であっても引き継がれることとなり、送信部１２０の交換時に、再度、通信用識別情報を設定しなおす必要がなくなった。
【００８９】
つまり、被検者の利便性を損なうことなく、送信部１２０の交換に伴う、血糖値のモニタリングの中断時間を短縮させることが可能となった。
【００９０】
［第２の実施形態］
上記第１の実施形態では、送信部１２０と表示部１３０との間の通信方式について特に言及しなかったが、送信部１２０と表示部１３０との間の通信方式は、上記第1の実施形態では電磁波による方式を用いていたが、これに限定されるものではなく、例えば、電磁誘導を用いた方式や人体通信、近接又は近傍接の非接触式通信などの種々の既知の通信方式を用いることができる。
【００９１】
また、上記第１の実施形態では、センサ部１１０と送信部１２０はＩＣタグを用いて近接通信を行う構成としたが、これに限定されるものではなく、金属等の接点を用い、送信部とセンサ部を電気的に接続する構成としてもよい。
【００９２】
また、上記第１の実施形態では、送信部１２０を２台用いる構成としたが、本発明はこれに限定されず、３台以上であってもよいことはいうまでもない。
【００９３】
更に、上記第１の実施形態では、表示部１３０からの血糖値表示指示があった場合にのみ、送信部１２０から表示部１３０に対して血糖値データを送信する構成としたが、本発明はこれに限定されず、送信部１２０において血糖値データを算出するたびに、センサ部１１０への書き込みと並行して表示部１３０への送信を行うように構成してもよい。
【００９４】
本発明は上記実施の形態に制限されるものではなく、本発明の精神及び範囲から離脱することなく、様々な変更及び変形が可能である。従って、本発明の範囲を公にするために、以下の請求項を添付する。
【００９５】
本願は、２０１１年３月２５日提出の日本国特許出願特願２０１１−０６８６２７を基礎として優先権を主張するものであり、その記載内容の全てを、ここに援用する。
【図１】
2012131827.tif 000003
【図２】
2012131827.tif 000004
【図３】
2012131827.tif 000005
【図４】
2012131827.tif 000006
【図５】
2012131827.tif 000007
【図６】
2012131827.tif 000008
【国際調査報告】
2012131827.tif 000009
2012131827.tif 000010
2012131827.tif 000011
2012131827.tif 000012